(57)【特許請求の範囲】
【請求項１】
被包装物を包装フィルムで包装し、上記外装フィルムの重ね面を接着して封止するようにした包装方法において、
上記包装フィルムの接着部となる重ね面の一部に当該包装フィルムの開封時の開け口となる非接着部と、
上記非接着部に上記包装フィルムを開封するきっかけとなる切込線と、
上記切込線の左右の上記非接着部をスポット状に接着する仮止め接着部と、
を備えたことを特徴とする包装方法。
【請求項２】
請求項１記載の包装方法において、
上記仮止め接着部は上記切込線によって左右に切り離された剥離片の部分を接着していることを特徴とする包装方法。
【請求項３】
請求項１記載の包装方法において、
上記非接着部が上記包装フィルムを封止している接着部の中央部または一側方に形成されていることを特徴とする包装方法。
【請求項４】
請求項１記載の包装方法において、
上記被包装物がテープカセットのカセットケースであることを特徴とする包装方法。
【発明の詳細な説明】
【０００１】
【発明の属する技術分野】
本発明は、例えばカセットケース等の被包装物の包装方法に関するもので、詳しくは、包装フィルムを封止する接着部の一部に非接着状態の開け口を形成し、この開け口に開封のきっかけとなる切込線を形成し、切込線の左右の非接着部にスポット状接着部を形成したことによって、被包装物のシュリンク包装時における熱収縮による開け口の変形の防止及び開け口の開封操作を損ねないようにしたものである。
【０００２】
【従来の技術】
従来、例えばオーディオ用テープカセットやビデオ用テープカセット等を商品化し販売するに当たっては、この種カセットを収納したカセットケースを包装フィルム（化粧フィルム）でシュリンク包装された状態で販売に供される。
【０００３】
この種、包装フィルムとしてはポリプロピレン（ＰＰ）等からなる強靱性に優れ熱接着性を有するフィルム材が用いられ、被包装物としてのカセットケースがシュリンク包装される。そして、包装フィルムは重ね面を例えば１２０〜１３０℃の温度で熱接着することにより封止している。
【０００４】
ところで、カセットケースを包装した包装フィルムの一般的な開封方法としては、包装フィルムに予めカットテープを挿入し、開封時にカットテープの先端部を指先で摘んで所定の案内方向へ引っ張ることで包装フィルムがカットテープに沿って引き裂かれ開封されるものがある。しかし、カットテープを用いた場合では、カットテープの先端部が包装フィルム上に接着された状態となって摘むことか困難となる。あるいはカットテープによって包装フィルムが周回状に引き裂かれてしまうと、カセットケース側に包装フィルムが残存し、この残存した包装フィルムを除去するのに手数を要するものであった。
【０００５】
一方、カットテープを用いない開封方法として例えば特開平８−７２９３０号で開示した包装方法によって提案されている。以下、図５を参照して説明する。
【０００６】
被包装物であるカセットケース１をシュリンク包装した包装フィルム２は、その胴部正面３及び左右の側面４，５において封止してある。胴部正面３においては包装フィルム２の両端部を重ね合わせ、その重ね面を熱シールして接着部６を形成している。この接着部６の中央部分には包装フィルム２の非接着部分が形成され、この非接着部分が包装フィルム２を開封するときの開け口７となるように形成されている。尚、左右の側面４，５では包装フィルム２を例えばキャラメルを包むように包装し、その重ね面を熱シールして接着部８を形成している。
【０００７】
【発明が解決しようとする課題】
ところで、上述したような包装フィルムは、カセットケース１に緊密に密着して包装させ商品性を高めることを目的として、シュリンク包装時に熱収縮するような例えばオリエンテッド・ポリプロピレン（ＯＰＰ）が使用される。この場合、上述したような包装方法では、開封時に指先等を挿入するための開け口７としての非接着部は、シュリンク包装の際の熱影響により仮想線で示すように開け口７の縁部７ａが収縮して歪み変形し包装体としての外観体裁を損なうといった問題がある。
【０００８】
また、開け口７に指先等を挿入してフィルム端部を掴み包装フィルムを引き破るようにして開封するするものであるが、包装フィルムがポリプロピレン等の強靱性の高いフィルムの場合には破けずに伸びてしまうといった問題があっり、無理にフィルムを引き裂こうとするとカセットケースに強い力が加わり破損する危険が生じることもある。
【０００９】
本発明は、上述したような課題を解消するためになされたもので、被包装物のシュリンク包装時における熱収縮による開け口の歪み変形の防止を図ると共に、開け口の開封操作を容易にかつ確実に行えるようにした包装方法を得ることを目的とする。
【００１０】
【課題を解決するための手段】
上述の目的を達成するため、本発明による包装方法は、包装フィルムの接着部の一部に開封時の開け口となる非接着部を設け、非接着部に包装フィルムを開封するきっかけとなる切込線を形成すると共に、切込線の左右の非接着部の部分を仮止め接着部で接着したものである。
【００１１】
このようにしたことで、シュリンク包装時の熱影響が生じても非接着部が仮止め接着部により接着されていることから熱収縮することがない。また、開封時は切込線の端部から非接着部が容易に剥がれ包装フィルムを切り破ることができる。
【００１２】
【発明の実施の形態】
以下、本発明による包装方法を包装フィルムでカセットケースをシュリンク包装する場合の実施例について図面を参照して説明する。
【００１３】
図１はカセットケースの包装状態の外観斜視図であり、図５で説明した従来例で示した構成と同一部分には同じ符号を付して説明する。
【００１４】
カセットケース１をシュリンク包装した包装フィルム２は、オリエンテッド・ポリプロピレン（ＯＰＰ）等の強靱性と熱接着性及び熱収縮性を有する透明なフィルム材が用いられ、包装状態の包装フィルム２がカセットケース１の長手側面に対応する胴部正面３及び左右の側面４，５において封止されている。
【００１５】
胴部正面３においては包装フィルム２の両端部が重ね合わされ、その重ね面を熱シールして胴部接着部６を形成している。また、左右の側面４，５では包装フィルム２を例えばキャラメルを包むように包装し、外側の重ね面を熱シールして側部接着部８を形成している。
【００１６】
胴部接着部６の中央部分には接着力が全くない非接着部分が形成されており、この非接着部分が包装フィルム２を開封するときの開け口１０となるように形成されている。開け口１０はこの例では包装フィルム２を開封する方向の向きの矢印形状に形成されている。開け口１０の幅は指先で開け口を摘み易いように２０〜３０ｍｍ程度にされている。
【００１７】
また、上述した開け口１０の中央部には縦向きの短い切込線１１がフィルム端部に形成されている。この切込線１１の形成によって切り離された左右のフィルム片が開封のきっかけとなる剥離片１０ａ，１０ａとなる。そして、この両剥離片１０ａ，１０ａの部分はそれぞれ仮止め接着部としてのスポット状接着部１２，１２で部分的に接着されている。
【００１８】
ここで、開け口１０である非接着部を形成する方法としては、印刷による方法が用いられる。つまり、包装フィルム２は熱シールにより溶融接着されることから、接着面に印刷が施されていると接着されにくくなり、この印刷の仕方により接着力を調整することができる。
【００１９】
図２は包装前の包装フィルム２を裏面から見た展開状態を示し、この状態において印刷が施される。
【００２０】
包装フィルム２の上下端部に位置する胴部接着部６の部分には印刷が一切施されていない透明状態であり、従って、包装フィルム２が包装されて胴部接着部６，６同士が重なり合う部分では熱シールにより１００パーセントの接着力で接着される。
【００２１】
開け口１０としての非接着部の部分には全面ベタ印刷が施されている。これによって、非接着部が胴部接着部６と重なり合い熱シールされても開け口１０は接着されない状態として残る。尚、切込線１１の部分には開け口１０の印刷とは色彩が識別できる印刷が施され、これによって、切込線１１の位置を認識することができる。
【００２２】
また、開け口１０のスポット状接着部１２，１２はこの部分のみ印刷が施されていないところであり、従って、スポット状接着部１２が胴部接着部６と重なり合い熱シールされて１００パーセント接着される。
【００２３】
また、包装フィルム２の左右端部に位置する側部接着部８，８の部分にも印刷が施されていない透明状態であり、この部分は包装フィルム２をキャラメルを包むように包装し、その外側の重ね面を熱シールして１００パーセントの接着力で接着される。
【００２４】
尚、包装フィルム２の残りの面全体はデザイン印刷等が施されている。従って、図１に示すように胴部接着部６及び側部接着部８を熱シールして封止された包装フィルム２が、包装物であるカセットケース１と接着されるようなこともない。
【００２５】
すなわち、上述した包装フィルム２により図１に示したようにシュリンク包装された状態では、接着されていない開け口１０は切込線１１により形成された左右の剥離片１０ａ，１０ａがスポット状接着部１２，１２により仮止め接着されているので、シュリンク包装時の熱影響により包装フィルム２全体が熱収縮しても剥離片１０ａ，１０ａが捲り上がったり、歪み変形するようなことを防止することができる。これによって、シュリンク包装された包装フィルムの外観体裁が損なうこともない。
【００２６】
包装フィルム２の開封操作は、開け口１０において切込線１１から剥離片１０ａを指先等で擦り、捲り上げた端部を摘みスポット状接着部１２を剥がしてから図３に示すように切込線１１に沿って引き裂くことによって包装フィルム２を開封することがてきる。この開封操作は剥離片１０ａ，１０ａを摘んで左右それぞれの方向に開封することができるので、残存する包装フィルム２が殆どなく包装フィルム２を一気に開封しでき開封性を向上することかできる。
【００２７】
上述したスポット状接着部１２は、接着面積が小さすぎると剥離片１０ａの接着強度が弱くなり、シュリンク包装時の包装フィルム２の熱収縮によりスポット状接着部１２が剥がれて剥離片１０ａが捲り上がったり、開け口１０全体に歪み変形が生じる。また、接着面積が大きすぎると剥離片１０ａの接着強度が強すぎて剥がしにくくなる。このため、スポット状接着部１２の大きさとして１．５〜３．０ｍｍφ程度が好適である。
【００２８】
尚、開け口１０に形成される切込線１１は必ずしも中央部に形成されるものでなく、例えば図４Ａに示すように開け口１０の左側（または図示しないが右側）に偏して縦方向に形成したり、図４Ｂに示すように開け口１０の左端部（または図示しないが右端部）から斜めに切込線１１を形成することであってもよい。そして、いずれの場合も切込線１１の左右の剥離片１０ａ，１０ａをスポット状接着部１２，１２で接着している。
【００２９】
このように上述した包装フィルム２でシュリンク包装された包装方法によれば、シュリンク包装時における包装フィルムの熱収縮による剥離片１０ａの捲り上がりや開け口１０の歪み変形を防止することができ、包装フィルムの外観体裁を向上することができる。また、開封の際、切込線１１から簡単に開封することができ、カセットケース１の取り出しを迅速に行うことができるので、例えば、放送中の番組の録画あるいは録音のタイミングを逃がすことがない。
【００３０】
また、切込線１１の部分に開け口１０の印刷とははっきり識別できる色彩を施こすことで、包装フィルムの開封の際に切込線１１の位置が容易に認識できる。
【００３１】
さらに、包装フィルム２の開封時に強い力を必要とすることもないので、カセットケース１が破損するといったことも防止できる。
【００３２】
本発明は、上述しかつ図面に示した実施例に限定されるものでなく、その要旨を逸脱しない範囲内で種々の変形実施が可能である。
【００３３】
実施例ではスポット状接着部１２を円形状にしたが、その他、四角形状等の形状であってもよく、あるいは接着強度が多少弱くなるが網点印刷により行うようにしてもよい。
【００３４】
また、実施例では、被包装物としてビデオ用のテープカセットやオーディオ用のテープカセット等が収容されるカセットケースの場合について説明したが、その他、種々の被包装物の包装方法に広く適用可能である。
【００３５】
【発明の効果】
以上説明したように本発明の包装方法は、シュリンク包装時における包装フィルムの熱収縮による開け口の歪み変形を防止することができ、包装フィルムの外観体裁を向上させ商品価値を高めることができる。また、開封の際、切込線から簡単に開封することができ、被包装物の取り出しを迅速に行うことができるといった効果がある。
【００３６】
また、開封に際して強い力を必要とすることもないため、被包装物が破損するような危険も解消できる。
【図面の簡単な説明】
【図１】本発明の包装方法に適用される包装フィルムの包装状態の斜視図である。
【図２】包装フィルムの展開状態の平面図である。
【図３】包装フィルムの開封状態の斜視図である。
【図４】Ａ  開け口の別の例の正面図である。Ｂ  開け口のさらに別の例の正面図である。
【図５】従来例の包装フィルムの包装状態の斜視図である。
【符号の説明】
１  カセットケース、２  包装フィルム、６  胴部接着部、８  側部接着部、１０  開け口（非接着部）、１０ａ  剥離片、１１  切込線、１２  スポット状接着部
【図１】
0003721692.tif 000002
【図２】
0003721692.tif 000003
【図３】
0003721692.tif 000004
【図４】
0003721692.tif 000005
【図５】
0003721692.tif 000006